(57)【特許請求の範囲】
【請求項１】
弧面を有する絞り枠と、
この絞り枠の弧面に沿って揺動自在となる状態で鏡胴の支持筒に軸支され、外部に露出した部分を直接操作するように構成された絞りレバーと、
この絞りレバーに係合させた状態でそれぞれが重ね合わせられて上記絞り枠に配置され、それぞれに絞り開口量を設定するための開口部を有し、上記絞りレバーの揺動操作によって絞り開閉動作を行う２枚の絞り羽根と、
上記絞りレバーに外部に露出した部分として配置され、先端が上記絞り枠の弧面に当接することにより上記絞りレバーを絞り調整位置で固定するためのネジ固定式のロックツマミと、を含んでなるレンズ鏡胴の手動式絞り機構。
【請求項２】
上記絞りレバーに、その支持軸に対し対称となる位置に２個の駆動ピンを設け、この２個の駆動ピンを上記絞り羽根のそれぞれに形成された係合孔に係合し、絞りレバーの揺動動作により２枚の絞り羽根を互いに逆方向となるように駆動したことを特徴とする上記第１請求項記載のレンズ鏡胴の手動式絞り機構。
【発明の詳細な説明】
【０００１】
【発明の属する技術分野】
本発明はレンズ鏡胴の手動式絞り機構、特に監視カメラ等に適用され、手動操作により動作させるレンズ鏡胴の絞り機構に関する。
【０００２】
【従来の技術】
監視カメラ（ＣＣＴＶ）等のレンズ鏡胴では、一般に自動絞り機構が設けられており、駆動モータ等によって絞り開口を可変調整することにより、最適な明るさの映像が得られるようになっている。
【０００３】
【発明が解決しようとする課題】
しかしながら、上記従来のレンズ鏡胴を用いた監視カメラ等では、監視対象となる場所の明るさが常に一定で、一旦調整した絞り開口を自動的に変化させる必要がない場合も多く、このような場合まで自動絞り機構を設けることは無駄である。そこで、手動式の絞り機構を採用したレンズ鏡胴を提案することとしたものであるが、従来の手動式の絞り機構としては、図８に示す構造のものがある。
【０００４】
図８において、この絞り機構では、図（Ａ）に示されるように、６枚の羽根１が保持部２に軸３で回転自在に軸支され、この羽根１のそれぞれの後側に係合ピン４が取り付けられる。そして、図（Ｂ）に示されるように、この係合ピン４にぞれぞれ係合する案内溝５が形成された菊座６が上記保持部２に重ねられるようにして配置されており、この菊座６は連結ピン７等を介して鏡胴外周部に配置される絞りリング８に連結される。
【０００５】
このような絞り機構によれば、上記の絞りリング８を回動操作して菊座６を回転させ、６枚の羽根１を軸３を中心に同時に揺動させることにより、図（Ａ）に示されるように、絞り開口量１００を変化させることができる。しかし、このような手動式絞り機構では、６枚の羽根１や菊座６等の部品点数が多く、組立ても煩雑となるという問題があった。
【０００６】
本発明は上記問題点に鑑みてなされたものであり、その目的は、監視カメラ等に使用されるレンズ鏡胴において、部品点数が削減でき、かつ低コストで製作することが可能となるレンズ鏡胴の手動式絞り機構を提供することにある。
【０００７】
【課題を解決するための手段】
上記目的を達成するために、第１請求項記載の発明に係るレンズ鏡胴の手動式絞り機構は、弧面を有する絞り枠と、この絞り枠の弧面に沿って揺動自在となる状態で鏡胴の支持筒に軸支され、外部に露出した部分を直接操作するように構成された絞りレバーと、この絞りレバーに係合させた状態でそれぞれが重ね合わせられて上記絞り枠に配置され、それぞれに絞り開口量を設定するための開口部を有し、上記絞りレバーの揺動操作によって絞り開閉動作を行う２枚の絞り羽根と、上記絞りレバーに外部に露出した部分として配置され、先端が上記絞り枠の弧面に当接することにより上記絞りレバーを絞り調整位置で固定するためのネジ固定式のロックツマミと、を含んでなることを特徴とする。
第２請求項記載の発明は、上記絞りレバーに、その支持軸に対し対称となる位置に２個の駆動ピンを設け、この２個の駆動ピンを上記絞り羽根のそれぞれに形成された係合孔に係合し、絞りレバーの揺動動作により２枚の絞り羽根を互いに逆方向となるように駆動したことを特徴とする。
【０００８】
上記の構成によれば、鏡胴の外周に露出した絞りレバーのロックツマミ等を持って、この絞りレバーを揺動させると、例えば絞りレバーに設けられた駆動ピンが２枚の絞り羽根を互いに逆関係となる方向に直線移動させることになる。このとき、絞り羽根の開口部は互いの重なりで絞られ、これによって絞り開口量を任意に調整することが可能となる。また、上記ネジ固定式ロックツマミによれば、調整した位置で絞りレバーが強固に固定され、絞りの設定位置を長期間維持することができる。
【０００９】
【発明の実施の形態】
図１乃至図７には、実施形態の一例であるレンズ鏡胴の手動式絞り機構の構成が示されており、図１はレンズ鏡胴の側面図であり、各部材が現れるように適当な位置で断面している。また、図２は押え板を除いた状態で絞り羽根部を正面から見た図であり、当該例のレンズ鏡胴は、カメラ本体側に着脱自在となるように構成したものである。図１及び図２において、複数のレンズからなるレンズ群１０は支持筒（鏡胴本体）１１に取り付けられており、この支持筒１１の後側（図１の右側）に、ネジ部１２Ａを形成したマウントリング１２が設けられる。従って、このマウントリング１２を図１の右側に配置されるカメラ本体側の結合部に連結することにより、レンズ鏡胴がカメラ本体に取り付られるようになっている。なお、上記マウントリング１２の前側にフォーカスリング１４が設けられる。
【００１０】
そして、上記支持筒１１に絞りレバー１５が揺動自在に軸支される。即ち、この支持筒１１には、軸受け１６（図１）が形成され、この軸受け１６に絞りレバー１５の軸１５Ａが取り付けられる。この絞りレバー１５の構成は、図３に示されており、この絞りレバー１５では、上記軸１５Ａに対して点対称となる位置に駆動ピン１７Ａ，１７Ｂが形成され、その上部にはネジ締め固定式のロックツマミ１８が外周部を貫通して配置されている。なお、このロックツマミ１８は、絞りレバー１５の操作部としての役割もすることになる。
【００１１】
この絞りレバー１５の前側に、後述する羽根を配置するための配置枠（絞り枠）２０が設けられ、この配置枠２０には、図４に示されるように、上記絞りレバー１５の軸１５Ａを支持する孔２０Ａ、上記駆動ピン１７Ａ，１７Ｂを通して移動させるための２つの弧状溝２０Ｂ、上記ロックツマミ１８の先端を当接させ、締め付けるための弧面（上面）２０Ｃ、そして開口部２０Ｄが形成され。また、この配置枠２０では、後述する２枚の羽根の動きを直線運動に規制するための規制ピン２１が２個ずつ左右に配置される。
【００１２】
そうして、このような配置枠２０に、図５の羽根（絞り羽根）２２，２３が配置される。即ち、図５（Ａ）に示されるように、羽根２２には、絞り開口を設定する開口部２２Ａ、上記配置枠２０の規制ピン２１を係合させる直線溝２２Ｂ、上記絞りレバー１５の駆動ピン１７Ａを係合させる長溝２２Ｃが形成され、図５（Ｂ）に示される他方の羽根２３にも、同様に開口部２３Ａ、直線溝２３Ｂ、長溝２３Ｃが設けられる。従って、これらの羽根２２，２３を重ねて組み付けると、図２に示されるように、開放時（最大開口量）で開口部２２Ａ，２３Ａが一致するように重ね合わせられ、絞りレバー１５の揺動により、互いに反対方向となる状態で直線上を往復動作することになる。
【００１３】
更に、上記の２枚の羽根２２，２３の前側には押え板２５が配置され、この押え板２５は、図６に示されるように、上記絞りレバー１５の駆動ピン１７Ａ，１７Ｂを通して移動させるための２つの弧状溝２５Ａと開口部２５Ｂが形成される。
【００１４】
実施形態例は以上の構成からなり、以下にその作用を図７の動作図を参照しながら説明する。
図２は、上記羽根２２，２３による絞り開口が最大値となるときの状態である。即ち、ロックツマミ１８を持ちながら絞りレバー１５を図の右側に操作することにより、駆動ピン１７Ａが羽根２２を上側へ、他方の駆動ピン１７Ｂが羽根２３を下側へ移動させ、両者の開口部２２Ａ，２３Ａが一致して絞り開口１０１が最大となる。
【００１５】
この状態から、絞りレバー１５を図の左側に揺動操作すると、図７（Ａ）に示されるように、駆動ピン１７Ａにより羽根２２が下側へ、他方の駆動ピン１７Ｂにより羽根２３が上側へ移動し、かつ羽根２２，２３は規制ピン２１で上下に正確に直線運動するように規制される。従って、両羽根２２，２３の開口部２２Ａ，２３Ａの重なる領域が小さくなり、図示１０２のように、絞り開口が小さく絞られることになる。そして、絞りレバー１５を最左端まで操作すると、羽根２２が最下端へ移動してその開口部２２Ａが羽根２３で遮蔽され、羽根２３が最上端へ移動してその開口部２３Ａが羽根２２で遮蔽されることになり、絞り開口は閉状態（０）となる。
【００１６】
このようにして、上記絞りレバー１５によれば、軸１５Ａを中心として揺動動作をすることにより、２枚の羽根２２，２３を互いに逆方向に直線移動させ、絞り開口を任意に開閉調整することが可能となり、撮影場所の明るさに応じて入射光強度を最適な値に設定できることになる。
【００１７】
また、最適な絞り開口の設定が終了した後は、ロックツマミ１８を締め付けることにより、絞りレバー１５を配置枠２０に固定し、設定絞り値を固定状態とすることができる。これによれば、明るさが変化しない場所等に設置する監視カメラ等に適用することができ、しかも一旦設定した絞り値を長期間に渡って維持できるという利点がある。
【００１８】
上記実施形態例では、上記の絞りレバー１５と配置枠２０の固定手段として、ネジ締め固定式のロックツマミ１８を設けたが、ネジ式以外の固定構造を固定手段として用いることができる。
【００１９】
【発明の効果】
以上説明したように、本発明によれば、絞り枠の弧面に沿って揺動自在となる状態で鏡胴の支持筒に軸支した絞りレバーを、ロックツマミ等で直接操作して揺動動作させ、重ね合わされた２枚の絞り羽根により絞り開口量を調整するようにしたので、監視カメラ等に使用されるレンズ鏡胴においては、従来の６枚羽根の場合と比較すると、菊座が不要で、羽根数も少なくなるので、部品点数が削減でき、しかも構造が複雑とならないので、レンズ鏡胴の低コスト化が可能となる。
【００２０】
また、上記ロックツマミにより、調整した位置で絞りレバーを強固に固定でき、絞りの設定位置を長期間維持することが可能となるという利点がある。
【図面の簡単な説明】
【図１】本発明の実施形態例に係る手動式絞り機構を適用したレンズ鏡胴の構成を示す断面図である。
【図２】図１において押え板を除いた絞り羽根部（開放状態）の構成を示す正面図である。
【図３】実施形態例の絞りレバーを示す正面図である。
【図４】図１で用いた絞り羽根の配置枠を示す正面図である。
【図５】実施形態例の２枚の絞り羽根［図（Ａ），（Ｂ）］を示す図である。
【図６】図１の絞り羽根部の押え板を示す正面図ある。
【図７】実施形態例の絞り動作を示す図で、図（Ａ）は駆動レバーを中間点まで動作させたとき、図（Ｂ）は駆動レバーを絞り閉位置まで動作させたときの状態を示す図である。
【図８】従来のレンズ鏡胴における手動式絞り機構を示し、図（Ａ）は羽根部の構成、図（Ｂ）は菊座の構成を示す図である。
【符号の説明】
１０  …  レンズ群、
１１  …  支持筒、
１５  …  絞りレバー、
１５Ａ  …  軸、
１７Ａ，１７Ｂ  …  駆動ピン、
１８  …  ロックツマミ、
２０  …  配置枠、
２０Ｄ，２２Ａ，２３Ａ，２５Ｂ  …  開口部、
２１  …  規制ピン、
２２，２３  …  羽根、
２２Ｂ，２３Ｂ  …  直線溝、
２２Ｃ，２３Ｃ  …  長溝、
２５  …  押え板。
【図１】
0003734307.tif 000002
【図２】
0003734307.tif 000003
【図３】
0003734307.tif 000004
【図４】
0003734307.tif 000005
【図５】
0003734307.tif 000006
【図６】
0003734307.tif 000007
【図７】
0003734307.tif 000008
【図８】
0003734307.tif 000009